(57)【要約】      （修正有）【課題】音楽を奏でる置物に関するもので、使用材料は木材であるから製品にばらつきが生じるため、良質で均一な葉の部材の製作。置物の安全性を高める。自作で自由に製作できるためのパーツ化。球状体を自動的に上まで運び上げ自動演奏ができる等が主要な目的である。【解決手段】使用材料は木材であるから製品にばらつきが生じるため、良質で均一な葉の部材２の製作方法を、木材を特別に組み合わせた集成材により安定した材料とした。また、置物の安全性を高めるため枝の先端に保護材料を取り付けた。落下させる球体３に変化を付けるため発光ダイオードを用い点滅するものとした。球状体を使用者が誤って飲み込んでも呼吸困難防止のための空気穴あけた。自由に製作できるためのパーツ化し葉を付けかえる事により数多くの曲を奏でる置物ができる。球状体を自動的に上まで運び上げることにより自動演奏ができることにより上記課題を解決したものである。【選択図】図１
0003142234.tif 000002
【実用新案登録請求の範囲】
【請求項１】
部材と、前記部材を上下に複数個取り付けた支柱と、前記部材の上部から球状体を落下させ、前記部材への衝突による音を発生させ、前記部材を複数の板材を積層して構成した音楽を奏でる置物。
【請求項２】
異なる材質の板材を積層する請求項１記載の音楽を奏でる置物。
【請求項３】
部材２は先端を丸めるかあるいは先端に安全保護材を設けた請求項１記載の音楽を奏でる置物。
【請求項４】
球状体は、内部に発光体を有する請求項１〜３のいずれか１項記載の音楽を奏でる置物。
【請求項５】
球状体は、落下時の衝撃により発光体の点灯が開始され、衝撃が所定の時間ないときは消灯する請求項４記載の音楽を奏でる置物。
【請求項６】
球状体を貫通する穴を有する請求項１〜５のいずれかの１項記載の音楽を奏でる置物。
【請求項７】
落下した球状体を上部に輸送する移動手段を有する請求項１〜６のいずれか１項記載の音楽を奏でる置物。
【請求項８】
部材と、前記部材を取り付けた支柱とを、１つのパーツとし、前記パーツを複数個組み合わせ、上部から球状体を落下させ、前記部材への衝突により音を発生させる音楽を奏でる置物。
【考案の詳細な説明】
【技術分野】
【０００１】
本考案は、音楽を奏でる置物に関するものである。
【背景技術】
【０００２】
螺旋形状に配置した板状の上に球状体を落下させて、音楽を奏でる装置として、登録実用新案公報  第３０６０５９５号  や  発明協会公開技法  公技番号  ２００７−５０１４１６  が知られている。いずれも支柱の回りに音階の異なる板を上下に複数配置して、上部より球を落下させ、そのとき板に落下する音により音楽を奏でるものである。
【特許文献１】登録実用新案公報  第３０６０５９５号公報
【非特許文献１】発明協会公開技法  公技番号  ２００７−５０１４１６
【考案の開示】
【考案が解決しようとする課題】
【０００３】
従来のものでは、音階をいくつも用意するために、また、正確な音程を得るためには、落下する板の形状を種々製作をしなければならい。板の材質にバラツキがあればその都度変更しなければならず、さらに、楽曲によって、それぞれ専用の支柱や板の組み合わせの製作を行わなければならず量産性に問題があった。また、音の発生のみでは人をひきつける点で不足していた。
本考案は、製作の作業性を高め、量産に適した音楽を奏でる置物を得ることを目的とし、さらに、視覚性・安全性を高めたものである。
【課題を解決するための手段】
【０００４】
部材を上下に複数個取り付けた支柱と、部材を複数の板材を積層して構成し、部材の上部から球状体を落下させ部材への衝突による音を発生させたものである。
球状体は、内部に発光体を有するものである。
落下した球状体を上部に輸送する移動手段を有するものである。
部材と、前記部材を取り付けた支柱とを、１つのパーツとし、前記パーツを複数個組み合わせ、上部から球状体を落下させ、前記部材への衝突により音を発生させるものである。
【考案の効果】
【０００５】
複数の板材を積層して部材を構成したので、多種の音階に容易に対応でき、音程の微調整も容易である。
球状体は、内部に発光体を有するものなので、音の発生に加え視覚に訴え人をひきつけるものである。
落下した球状体を上部に輸送する移動手段を有するものなので、人の手により球状体を上部に輸送する必要を排除する効果がある。
部材と、前記部材を取り付けた支柱とを、１つのパーツとし、前記パーツを複数個組み合わせ、上部から球状体を落下させ、前記部材への衝突により音を発生させるよう構成したので、楽曲によって、それぞれ自由に組み合わせることができる効果がある。
【考案を実施するための最良の形態】
【０００６】
本考案は、音楽を奏でる木の置物に関するもので、以下図面に基づいて説明する。
【実施例１】
【０００７】
図１は、本考案の概念図である。台４の上に支柱１を垂直に取り付ける。支柱１に対して一定の角度で螺旋状に部材２を複数個取り付ける。支柱１の上から球状体３を落下させることにより、球状体３は支柱１と部材２の２点で支えられ螺旋状に回転しながら落下する。球状体３が落下することにより部材２をたたくことによりズミカルな音を奏でる。なお、部材２の大きさや厚さを変えて音階を付け、部材２の取り付け間隔を調整することによりリズムを変化させるとリズミカルな音楽を奏でる。また、部材を着色することにより置物としての変化をもたせることが可能となる。
【実施例２】
【０００８】
図２は、本考案の部材２の製作について示した。図２（Ａ）に示すように木目の異なる
板材２−１aと２−１ｂを並べ、木の葉形状に切り取って部材２を形成し、この部材２−１複数枚たとえば５枚を積層して図（Ｂ）に示すように部材２を形成する。部材２の大きさや厚みあるいは積層枚数を変えることで音程を調整する。この実施例では木の葉の模様をあらわすために２つの板を並べたが１つあるいは３つ以上並べて切り抜いてもよい。
材料の均一化と量産化を容易にするため、同一の楕円形状とし、木質の異なった木を積層にした集成材により同一の音階をもつ部材を大量に製作することが可能となる。また、長軸方向に細長く集成材を製作し、一定の厚さで輪切りにすることにより、同一形状で均一な音階を大量に製作することが可能になる。また、輪切りの精度を向上すると共に、仕上げ作業の工程により葉の厚みの均一化を図ることが可能となる。また、部材となる集成材の貼り合わせ方法により多彩な紋様を創り出すことができる。
【実施例３】
【０００９】
図３は、本考案の部材２の先端部によるけが等の防止をはかり安全性を高めるものである。部材２の先端を丸めるか、あるいは部材２の先端部分に安全保護材５を取り付ける。安全保護材５の形状としては、球体、楕円体、及び、正６面体・直方体等の面取りしたものを取り付け、部材２の先端部によるけが等の防止をはかり安全性を高めると共に本考案の形状に変化とアクセントを付ける。
【実施例４】
【００１０】
図４は、本考案の球状体３の安全性を高めるものである。誤って球状体３を飲み込んだ場合において呼吸困難にならないよう、穴６を数カ所設けることにより窒息等の事故をさけ安全性を高めることができる。
【実施例５】
【００１１】
図５は、本考案の他の実施例を示したもので、パーツ部品で供給して自由に組み立てられるものである。支柱１に部材取り付け部品１１とスペーサー９とスプリングワッシャー１０を積み上げナット８で固定する。部材取り付け部品１１の間に木の葉の形状の部材２を取り付ける。図６には部材取り付け部品１１の形状を示す。部材２の取り付け間隔を変えたりしながらいくつも部材２を積み重ねることにより、球状体の落下時に発生する音の音程とリズムを変えることができ奏でる曲を自由に変えることができる。また、置物の形状も自由に変化をもたせることが可能になり、部材２に着色を施してもよい。
図７は、支柱１に螺旋状に一定の角度と間隔で穴を開け、部材取付部品１１を取り付ける。この部材取付部品１１に、部材２を螺旋状に差し込むことにより球状体３が転がることで支柱１と部材２の２点により支えられ螺旋状に回転しながら落下し支柱１と部材２をたたくことにより音を奏でる。部材２の長短により音階をひらうことが可能となり、自由に音楽を奏でるものが製作できる。
【実施例６】
【００１２】
図８は、本考案の球状体３のを発光点滅させ光を楽しむものである。螺旋状に落下させる球状体３として、透明プラスチックケース１５の中に、ボタン電池１６を数個、発光ダイオードのような発光体１３を数色、衝撃により電源が入り、停止すると電源が切れる特殊スイッチ１２、回路基盤１４等を組み込み配線する。数色の発光体１３が点滅しながら螺旋状に回転し落下する。また、球状体３は停止するとスイッチが切れる。
【実施例７】
【００１３】
図９は、本考案の長大なものにして建物の２階や３階より、１７ａから１７ｅまでの多数の曲を奏でながら１階まで落下するもので約４ｍ〜１０ｍ支柱１を中心に、最上部から、最下部に至る間に、部材２の音階とリズムを調整し曲を奏でるものを作成する。この複数の曲１７ａから１７ｅを自由組み合わせて奏でるように連ねて作成する。なお、音程の変わった楕円形の部材２によりそれぞれの曲１７ａから１７ｅを作成する。
【実施例８】
【００１４】
図１０は、本考案の球状体３を自動で上まで運び上げる移動手段３２を示すものである。支柱１の内部に、上下主ローラ２０と上下補助ローラ２１を取り付けその間をベルト２２により連結する。下主ローラ２０内部にモーター２５を取り付けこれによりベルトを回転させることにより、図１１に示すように摩擦板２６との間に球状体３が挟まれ回転しながら上昇する。球状体３は、螺旋状に落下した後、球状体入口穴２４より入り、この装置によって上部には運ばれ球状体出口穴２３より排出され落下する。球状体３を自動的に支柱１まで運び上げることにより自動演奏ができるもの。
図１２は、本考案の球状体３を自動で上まで運び上げるものである。支柱１の内部に、スパイラルスクリュー３１を上下の軸受け２７で支え、モーター２５により回転することにより、球状体入口穴２４から入った球状体３を受け台３０により受け止め、スパイラルスクリュー３１により上部に運び上げ、球状体３が停止板２９に当たり球状体出口穴２３より排出する。
【産業上の利用可能性】
【００１５】
本考案は、音楽を奏でる置物に関するもので、幼児の玩具や教育用の教材あるいは装飾をかねたインテリアとして使用できる。
【図面の簡単な説明】
【００１６】
【図１】本考案の実施例１を示した全体の説明図である。
【図２】本考案の実施例２の部材の製作を示した説明図である。
【図３】本考案の実施例３の部材分の安全対策を示した説明図である。
【図４】本考案の実施例４の球状体の安全対策を示した説明図である。
【図５】本考案の実施例５のパーツ化の支柱部に部材取付の説明図である。
【図６】本考案の実施例５のパーツ化の部材取付部品の平面説明図である。
【図７】本考案の実施例５のパーツ化の部材取付方法示した説明図である。
【図８】本考案の実施例６の球状体に発光ダイオードを用いた説明図である。
【図９】本考案の実施例７の長大な置物を示した説明図である。
【図１０】本考案の実施例８の自動的に運び上げる支柱正面の説明図である。
【図１１】本考案の実施例８の自動的に運び上げる支柱側面の説明図である。
【図１２】本考案の実施例８の自動的に運び上げるスパイラル方式説明図である。
【符号の説明】
【００１７】
１    支柱
２    部材
２−１ａ、２−１ｂ  板材
３    球状体
４    台
５    安全保護材
６    穴
７    ボルト
８    ナット
９    スペーサー
１０    スプリングワッシャー
１１    部材取付部品
１２    特殊スイッチ
１３    発光ダイオード
１４    回路基盤
１５    透明プラスチックケース
１６    ボタン電池
１７    曲
１８    ２Ｆ
１９    ３Ｆ
２０    主ローラ
２１    副ローラ
２２    コンベアー
２３    球状体出口穴
２４    球状体入口穴
２５    モーター
２６    摩擦板
２７    軸受け
２８    軸
２９    停止板
３０    受け台
３１    スパイラルスクリュー
【図１】
0003142234.tif 000003
【図２】
0003142234.tif 000004
【図３】
0003142234.tif 000005
【図４】
0003142234.tif 000006
【図５】
0003142234.tif 000007
【図６】
0003142234.tif 000008
【図７】
0003142234.tif 000009
【図８】
0003142234.tif 000010
【図９】
0003142234.tif 000011
【図１０】
0003142234.tif 000012
【図１１】
0003142234.tif 000013
【図１２】
0003142234.tif 000014